(57)【特許請求の範囲】
【請求項１】
内部に被清掃物を収容する清掃筒体と、清掃筒体の開口上端部に装着され被清掃物を支持すると共に、被清掃物を支持した際に被清掃物で該開口上端部を密封する支持リングと、清掃筒体の開口下端部に装着されて清掃筒体をヘッドに固定する固定リングとからなる清掃器を備え、内周面に連結用のメネジ部が設けられたヘッドの貫通孔を介して前記清掃器内の空気を吸い込むサクション機構と、貫通孔から清掃器内に向けて延出する静電除去ノズルを介して清掃器内に空気を吹き込むブロー機構とを備え、前記ヘッドのメネジ部に清掃器の固定リングをネジ止めするハンド式エアクリーナ装置であって、
前記清掃筒体は、容器内の圧力変化で容器内の溶液を排出する排出用ノズルの容器挿入管を収容する長さに形成され、前記支持リングは、前記排出用ノズルの容器挿入管を挿通する貫通口を有し、支持リングの上端面から貫通口に至る略円錐状の載置部が形成され、該載置部に排出用ノズルの容器連結部を載置し、前記ブロー機構の静電除去ノズルは、前記洗浄器の固定リング部分から清掃筒体内に空気を吹き込むようにしたことを特徴とするハンド式エアクリーナ装置。
【発明の詳細な説明】
【０００１】
【発明の属する技術分野】
本発明は、化粧品容器や洗剤容器等の開口部に装着され、容器内の圧力変化で容器内の溶液を排出する各種ノズルを、各容器に装着する前に静電除去清掃することができるハンド式エアクリーナ装置に関する。
【０００２】
【従来の技術】
化粧品等の容器内部を予め静電除去清掃する装置として、ハンド式エアクリーナ装置（以下、「エアクリーナ装置」と称する）が使用されている。このエアクリーナ装置は、容器の内部に静電除去用の空気を噴出するブロー機構と、容器内部の空気を排出するサクション機構とを同時に稼動することにより清掃するもので、従来ではヘッド押し込み方式とセンサ検出方式とが用いられていた。
【０００３】
前者のヘッド押し込み方式のエアクリーナ装置は、エアクリーナ装置の上部に設けられているヘッドに容器を載置するとともに、作業員がヘッドを下方に押し込むことにより、ブロー機構およびサクション機構が始動するものである。一方、後者のセンサ検出方式は、作業員がヘッドに容器を置くと、装置上面に設置された反射型等の容器検出センサがこれを検出してブロー機構およびサクション機構が始動するエアクリーナ装置である。
【０００４】
ところが、前者のヘッド押し込み方式のエアクリーナ装置では、押し込み作業による作業員の疲労が大きくなるという問題があり、後者のセンサ検出方式では、容器が透明あるいは半透明等の場合に、検出のための光が容器を透過して容器の検出ができなくなるという問題があった。
【０００５】
そこでこのような従来の問題を解決すべく当発明者は、ハンド式エアクリーナ装置の始動スイッチ（特開平１１−１８８３２５号）を先に発明している。この発明で、サクション機構は、始動スイッチのスイッチＯＮ／ＯＦＦに関係なく、予め作動させた状態にしておき、始動スイッチをブロー機構の始動スイッチとして使用することで、作業員は、容器をヘッドに押し付けることなく、載置するだけで清掃作業が可能になり、しかも、透明な容器の場合、始動スイッチがスイッチＯＮされないという問題を解決した。
【０００６】
【発明が解決しようとする課題】
当発明者が先に発明したエアクリーナ装置によって、液状またはクリーム状の化粧品等を充填するガラス容器やチューブ容器など、各種容器の清掃作業を容易にすることに成功している。ところが、これら容器の清掃が容易に行えるようになると、これまで清掃が困難とされてきた部品についても清掃ができないかとの要求が高まってきた。特に、容器口部に装着するノズル類については、容器の内部に挿入して使用するものであることから、容器と同様に清掃することが望まれていた。
【０００７】
しかしながら、従来のヘッド押し込み方式及びセンサ検出方式は勿論のこと、これらを改良したハンド式エアクリーナ装置の始動スイッチにおいても、容器の開口部をヘッドにあて、このヘッドを通して容器内のエアーを交換する装置になっているので、容器のような開口部を持たないノズル等の部品を清掃することはできない構造になっていた。
【０００８】
そこで本発明は、上述の課題を解消すべく創出されたもので、液状またはクリーム状の化粧品等を充填するガラス容器やチューブ容器などと同様に、容器以外の部品を清掃することが可能なハンド式エアクリーナ装置の提供を目的とするものである。
【０００９】
【課題を解決するための手段】
上述の目的を達成するため、本発明の手段は、内部に被清掃物を収容する清掃筒体１１と、清掃筒体１１の開口上端部に装着され被清掃物を支持すると共に、被清掃物を支持した際に被清掃物で該開口上端部を密封する支持リング１２と、清掃筒体１１の開口下端部に装着されて清掃筒体１１をヘッド３に固定する固定リング１３とからなる清掃器１０を備え、内周面に連結用のメネジ部が設けられたヘッド３の貫通孔３Ａを介して、前記清掃器１０内の空気を吸い込むサクション機構と、貫通孔３Ａから清掃器１０内に向けて延出する静電除去ノズル６を介して、清掃器１０内に空気を吹き込むブロー機構と、を備え、前記ヘッド３のメネジ部に清掃器の固定リングをネジ止めする。
【００１０】
前記清掃筒体１１は、容器内の圧力変化で容器内の溶液を排出する排出用ノズルＰの容器挿入管Ｐ１を収容する長さに形成されている。
【００１１】
前記支持リング１２は、前記排出用ノズルＰの容器挿入管Ｐ１を挿通する貫通口１２Ａを有し、支持リング１２の上端面から貫通口１２Ａに至る略円錐状の載置部１２Ｂが形成され、該載置部１２Ｂに排出用ノズルＰの容器連結部Ｐ２を載置するものである。
【００１２】
前記ブロー機構の静電除去ノズル６を、前記清掃器１０の固定リング１３部分から清掃筒体１１内部に空気を吹き込むようにしたことを課題解消のための手段とする。
【００１３】
本発明によると、作業員が清掃器１０の清掃筒体１１内部に排出用ノズルＰの挿入管Ｐ１を挿入し、支持リング１２の載置部１２Ｂに排出用ノズルＰの連結部Ｐ２を載置すると、サクション機構の吸引力により清掃器１０が下方に押し付けられると共に、ブロー機構が始動して清掃器１０の内部に静電除去空気が噴出され、清掃器１０内部に収納されている排出用ノズルＰの挿入管Ｐ１部分が清掃されるものである。
【００１４】
また、ヘッド３に固定された清掃器１０の固定リング１２部分から清掃器１０内に空気を吹き込むようにしたことで、清掃器１０の内部全体にブロー用のエアーを吹き込むことができ、排出用ノズルＰの挿入管Ｐ１部分のように、細い管や込み入った構造などがある被清掃物でも清掃することができる。
【００１５】
【発明の実施の形態】
以下、図面を参照して、本発明の実施の形態を詳細に説明する。図中符号１０は、被清掃物を収容する清掃器である（図２参照）。この清掃器１０は、円筒状を成す支持リング１２と、清掃筒体１１の開口上部に装着する清掃筒体１１と、清掃筒体１１の開口下部に装着する固定リング１３とからなる。
【００１６】
清掃筒体１１は、内部に被清掃物を収容するもので、例えば排出用ノズルＰを収容する。この排出用ノズルＰは、化粧品容器や洗剤容器等の開口部に装着されるもので、容器挿入管Ｐ１を容器内に挿入し、容器内の圧力変化で容器内の溶液を排出する各種ノズルである。そのため、清掃筒体１１の長さは、少なくとも排出用ノズルＰの容器挿入管Ｐ１を収容可能な長さに形成されている。また、清掃筒体１１を透明にすることで、内部の処理状況を確認することが可能になる。尚、被清掃物は、清掃筒体１１に収納可能なもので、静電除去清掃の必要があるものであれば、その種類は問わない。
【００１７】
支持リング１２は、清掃筒体１１の開口上部に装着されるもので、清掃筒体１１内に挿入する排出用ノズルＰ等をこの支持リング１２で支持する。この支持リング１２には、排出用ノズルＰの挿入管Ｐ１を挿通する貫通口１２Ａを開穿している。さらに、支持リング１２の上端面に載置部１２Ｂを設け、排出用ノズルＰの連結部Ｐ２、すなわち、容器口部に排出用ノズルＰを着脱自在に連結する連結部Ｐ２を載置するように形成している（図２参照）。この載置部１２Ｂは、前記貫通口１２Ａに至る略円錐状に形成してある。このように形成することで、排出用ノズルＰの連結部Ｐ２を載置部１２Ｂに載置したときに、後述するサクション機構が稼動していると、連結部Ｐ２と載置部１２Ｂとを密着状態にすることができる。
【００１８】
固定リング１３は、清掃筒体１１の開口下端部に装着されるもので、清掃筒体１１をヘッド３に固定する（図３参照）。該ヘッド３は、支持リング１２を介して清掃器１０を着脱自在に装着する部分である。そして、固定リング１３の開口部と、ヘッド３に穿設された貫通孔３Ａとを通して清掃器１０内の空気を吸い込むサクション機構（図示せず）を備えている。また、同じ固定リング１３の開口部とヘッド３の貫通孔３Ａとに静電除去ノズル６を下方から挿入し、清掃器１０内に空気を吹き込むブロー機構（図示せず）をも併せ備えている。このとき、ブロー機構の静電除去ノズル６を、前記ヘッド３に固定した清掃器１０の固定リング１３部分から清掃器１０内に空気を吹き込むように設定している。
【００１９】
本発明ハンド式エアクリーナ装置１は、予めサクション機構を始動させておくことにより、その吸引力を利用してヘッドを下降させるもので、このヘッドの下降により、ブロー機構の始動スイッチがＯＮになり、ブロー機構が始動する。
【００２０】
図示のヘッド３は、ケース２の上面凹部に設置されたベース板４を備え、このベース板４の上方に、スプリング５を介して略リング形状のヘッド３が装着されている（図３参照）。該ヘッド３の内周面に連結用のメネジ部が設けられ、清掃器１０の固定リング１３をネジ止めしている。また、この清掃器１０に代えて化粧品容器類を載置する吸引ヘッドに変更することが可能である。該ヘッド３は、スプリング５の弾性力にて常に付勢されており、清掃器１０に被清掃物を収納しない場合には、ヘッド３は常に上昇位置にあるように調整されている。
【００２１】
更に、ヘッド３には始動スイッチ８が装着されている。始動スイッチ８は、ヘッド３に固定する検出器８Ｂと、ベース板４に載置される近接センサ８Ａとからなる。検出器８Ｂは、スプリング５の上部を囲むように装着され、このスプリング５と共に上下する。そして、検出器８Ｂが下降して、近接センサ８Ａに接近し、近接センサ８Ａが検出器８Ｂを検出すると、ノズル上下動機構７およびブロー機構のスイッチＯＮ信号を発信する。スイッチＯＮ信号を受信したノズル上下動機構１０およびブロー機構は、ただちに始動し、上昇した静電除去ノズル６がヘッド３の貫通孔３Ａと固定リング１３の開口部１３Ａを通して清掃筒体１１内に挿入され、ブロー機構により送られた空気で排出用ノズルＰ等被清掃物の静電除去処理が行われる（図４参照）。
【００２２】
【発明の効果】
本発明は上述の如く構成したことにより、当所の目的を達成した。すなわち、ヘッド３のメネジ部に清掃器の固定リングをネジ止めする清掃器１０を備えたことにより、ガラス容器やチューブ容器などと同様に、容器以外の部品を清掃することが可能になった。また、このヘッド３のメネジ部にネジ止めする清掃器１０に代えて化粧品容器類を載置する吸引ヘッドに変更することも可能である。
【００２３】
しかも、清掃器１０の清掃筒体１１は、容器内の圧力変化で容器内の溶液を排出する排出用ノズルＰの容器挿入管Ｐ１を収容する長さに形成されているので、これまでのハンド式エアクリーナ装置では清掃できなかった排出用ノズルＰ等の清掃を可能にした。
【００２４】
さらに、支持リング１２は、排出用ノズルＰの容器挿入管Ｐ１を挿通する貫通口１２Ａを有し、支持リング１２の上端面から貫通口１２Ａに至る略円錐状の載置部１２Ｂが形成され、該載置部１２Ｂに排出用ノズルＰの容器連結部Ｐ２を載置するものであるから、排出用ノズルＰの容器挿入管Ｐ１を清掃器１０の清掃筒体１１に差し込むだけの操作で極めて簡単に清掃することができる。
【００２５】
しかも、ブロー機構の静電除去ノズル６を清掃器１０の固定リング１３部分から清掃筒体１１内部に空気を吹き込むようにしているので、清掃器１０の内部全体にブロー用のエアーを吹き込むことができ、排出用ノズルＰの挿入管Ｐ１部分のように、細い管や込み入った構造などがある被清掃物でも清掃できる。
【００２６】
このように、本発明によると、液状またはクリーム状の化粧品等を充填するガラス容器やチューブ容器などと同様に、容器以外の部品を清掃することが可能になるなどといった有益な種々の効果を奏するものである。
【図面の簡単な説明】
【図１】本発明における一実施例を示す斜視図。
【図２】本発明における清掃器を示す縦断面図。
【図３】本発明におけるヘッド周辺部分を示す要部断面図。
【図４】本発明におけるハンド式エアクリーナ装置の要部断面図。
【符号の説明】
Ｐ  排出用ノズル    Ｐ１  容器挿入管
Ｐ２  連結部
１  ハンド式エアクリーナ装置
２  ケース
３  ヘッド          ３Ａ  貫通孔
４  ベース板
５  スプリング
６  静電除去ノズル
７  ノズル上下動機構
８  始動スイッチ    ８Ａ  近接センサ
８Ｂ  検出器
１０  清掃器
１１  清掃筒体
１２  支持リング    １２Ａ  貫通口
１２Ｂ  載置部
１３  固定リング    １３Ａ  貫通口
【図１】
0003620028.tif 000002
【図２】
0003620028.tif 000003
【図３】
0003620028.tif 000004
【図４】
0003620028.tif 000005